(57)【要約】  【課題】  レンズの歩留まりを向上できると共に、眼鏡の製作時間を短縮できるメガネフレームを提供すること。  【解決手段】  メガネフレームは、ブリッジ３およびよろい智に連通孔３ａと溝３ｂとを備えることにより、所定範囲内でレンズ２，２の固定位置を調整することができる。よって、レンズ２，２の連結孔２ａ，２ａがずれて穿設された場合であっても、レンズ２，２の固定位置を使用者に合わせて調整することができる。従って、レンズ２，２の廃棄処分を少なくすることができ、歩留まりを向上することができる。また、レンズ２，２の固定位置を調整できるので、レンズ２，２の連結孔２ａ，２ａを熟練した作業者が穿設しなくてもよく、自動穿設する加工装置を用いて連結孔２ａ，２ａを穿設することができる。よって、眼鏡の製作時間を短縮することができる。  【選択図】    図３
2006343446.tif 000002
【特許請求の範囲】
【請求項１】
一対のレンズ間を連結するブリッジと、前記レンズに穿設された連結孔に挿通される軸部とその連結孔の内径より大きな外径に形成された傘部とからなるネジと、そのネジの軸部に螺着されるナットとを備え、前記ネジとナットとにより前記ブリッジとレンズとを挟持して固定するメガネフレームにおいて、
前記ブリッジは、前記ネジの傘部の外形またはナットの外形より大きく形成された凹状の溝と、その溝内に形成され前記ネジの軸部が挿通されると共にそのネジの挿通方向視において前記ネジの軸部の外径より大きく且つ傘部の外径またはナットの外径より小さな内径となる挿通孔とを備え、
前記レンズをブリッジに対して固定する場合に、前記ネジの軸部の外周面と前記挿通孔の内周面との隙間により前記レンズの固定位置を調整可能にしたことを特徴とするメガネフレーム。
【請求項２】
一対のレンズ間を連結するブリッジと、そのブリッジが連結されたレンズの他方側に固定される智と、前記レンズに穿設された連結孔に挿通される軸部とその連結孔の内径より大きな外径に形成された傘部とからなるネジと、そのネジの軸部に螺着されるナットとを備え、前記ネジとナットとにより前記智とレンズとを挟持して固定するメガネフレームにおいて、
前記智は、前記ネジの傘部の外形またはナットの外形より大きく形成された凹状の第２溝と、その第２溝内に形成され前記ネジの軸部が挿通されると共にそのネジの挿通方向視において前記ネジの軸部の外径より大きく且つ傘部の外径またはナットの外径より小さな内径となる第２挿通孔とを備え、
前記レンズを智に対して固定する場合に、前記ネジの軸部の外周面と前記第２挿通孔の内周面との隙間により前記レンズの固定位置を調整可能にしたことを特徴とするメガネフレーム。
【請求項３】
前記溝は、前記ネジの挿通方向視において略円形に形成されると共に、前記挿通孔は、前記溝の略中心位置に形成されていることを特徴とする請求項１又は２に記載のメガネフレーム。
【請求項４】
前記ネジの軸部は、そのネジが前記挿通孔に挿通された状態において、その挿通孔に対応する位置が他の軸部の外径より小さな外径に形成された小径軸部を備え、
前記ネジの傘部の外径またはナットの外径と前記溝の内径との差は、前記ネジの小径軸部の外径と前記挿通孔の内径との差に対して、略同等以下になるよう形成されていることを特徴とする請求項３記載のメガネフレーム。
【請求項５】
前記溝内に収納されると共にその溝の開放面を覆う覆設部材を備え、
前記ネジの挿通方向における前記溝深さは、前記覆設部材と前記ネジの傘部またはナットとの合計の厚み以上に形成されていることを特徴とする請求項１から４のいずれかに記載のメガネフレーム。
【請求項６】
前記ナットは、ネジ溝が螺刻された内壁から外壁に亘って連通すると共に内周面にネジ溝が螺刻されたネジ連通孔が形成されており、
そのネジ連通孔に螺挿され、前記ネジにナットが螺着された状態を保持可能な螺挿部材を備えていることを特徴とする請求項１から５のいずれかに記載のメガネフレーム。
【請求項７】
前記螺挿部材は、その先端が尖形に形成されていることを特徴とする請求項６記載のメガネフレーム。
【請求項８】
前記ブリッジ又は智に対するレンズの固定は、前記溝側から前記ネジの軸部を挿通すると共に、前記レンズ側からナットを螺着して行われるものであることを特徴とする請求項１から７のいずれかに記載のメガネフレーム。
【請求項９】
前記ブリッジ又は智に対するレンズの固定は、前記レンズ側から前記ネジの軸部を挿通すると共に、前記溝側からナットを螺着して行われるものであることを特徴とする請求項１から７のいずれかに記載のメガネフレーム。
【発明の詳細な説明】
【技術分野】
【０００１】
本発明は、メガネフレームに関し、特に、レンズの歩留まりを向上できると共に、眼鏡の製作時間を短縮できるメガネフレームに関するものである。
【背景技術】
【０００２】
特開２００２−３１１３９１号公報に開示されているように、レンズの内縁部に穿設された連結孔にネジを挿通し、レンズの裏側に突出したネジにナットを螺着して、ブリッジとレンズ、及び、智とレンズとをそれぞれ固定するツーポイント式のメガネフレームが知られている。この眼鏡の製作は、まず、使用者に合わせてレンズの連結孔の位置が調整されて穿設される。その後、ネジとナットとでブリッジとレンズ、及び、智とレンズとを挟持して固定することで行われる。レンズの連結孔の位置を使用者に合わせて調整することで、使用者毎にレンズの固定位置が合った眼鏡を提供することができる。
【特許文献１】特開２００２−３１１３９１（図１等）
【発明の開示】
【発明が解決しようとする課題】
【０００３】
しかしながら、上述したメガネフレームでは、使用者毎にレンズの連結孔の位置が異なるので、その連結孔の位置がずれてしまうと、折角使用者に合わせて位置を設定したにも関わらず、使用者に合わない眼鏡となってしまう。レンズは、連結孔を一旦穿設するとその位置の修正ができないので、連結孔の位置がずれてしまうと、そのレンズは廃棄処分となってしまい、歩留まりが悪いという問題点があった。
【０００４】
また、レンズの連結孔の位置は、使用者の顔の形や設定された度数などにより異なり、その孔径は略１ｍｍ〜２ｍｍの微少なものなので、正確な位置に設定する必要がある。その穿設作業は、例えば、設定した穿設位置に実際の孔径より小さい孔を明け、微調整を行いつつ正確な位置に穿設する。そのため、熟練した作業者により行われることが多い。よって、熟練した作業者が複数の工程を行うことにより眼鏡が製作されるので、１つの眼鏡を製作するのに時間がかかってしまうという問題点があった。
【０００５】
また、近年では、ツーポイント式のメガネフレームの需要が高くなっている。そのため、製作時間を短縮するために、レンズの連結孔の位置を設定すると、その設定した位置に連結孔を自動的に穿設する加工装置も開発されている。しかし、上述したように、熟練した作業者でないと正確な位置に連結孔を穿設することが困難であるため、微調整を行いつつ連結孔を穿設する。よって、加工装置を用いたとしても製作時間を大幅に短縮できないという問題点があった。
【０００６】
本発明は、上述した問題点を解決するためになされたものであり、レンズの歩留まりを向上できると共に、眼鏡の製作時間を短縮できるメガネフレームを提供することを目的としている。
【課題を解決するための手段】
【０００７】
この目的を達成するために請求項１記載のメガネフレームは、一対のレンズ間を連結するブリッジと、前記レンズに穿設された連結孔に挿通される軸部とその連結孔の内径より大きな外径に形成された傘部とからなるネジと、そのネジの軸部に螺着されるナットとを備え、前記ネジとナットとにより前記ブリッジとレンズとを挟持して固定するものであり、前記ブリッジは、前記ネジの傘部の外形またはナットの外形より大きく形成された凹状の溝と、その溝内に形成され前記ネジの軸部が挿通されると共にそのネジの挿通方向視において前記ネジの軸部の外径より大きく且つ傘部の外径またはナットの外径より小さな内径となる挿通孔とを備え、前記レンズをブリッジに対して固定する場合に、前記ネジの軸部の外周面と前記挿通孔の内周面との隙間により前記レンズの固定位置を調整可能にした。
【０００８】
この請求項１記載のメガネフレームによれば、ブリッジには、ネジの軸部の外径より大きな内径となる挿通孔が形成されており、その挿通孔によりレンズの固定位置が調整される。また、ブリッジには、ネジの傘部の外形またはナットの外形より大きい凹状の溝が形成されているので、ネジとナットとによりレンズとブリッジとを固定する場合に、ネジの傘部またはナットがブリッジの溝内に収納される。
【０００９】
請求項２記載のメガネフレームは、一対のレンズ間を連結するブリッジと、そのブリッジが連結されたレンズの他方側に固定される智と、前記レンズに穿設された連結孔に挿通される軸部とその連結孔の内径より大きな外径に形成された傘部とからなるネジと、そのネジの軸部に螺着されるナットとを備え、前記ネジとナットとにより前記智とレンズとを挟持して固定するものであり、前記智は、前記ネジの傘部の外形またはナットの外形より大きく形成された凹状の第２溝と、その第２溝内に形成され前記ネジの軸部が挿通されると共にそのネジの挿通方向視において前記ネジの軸部の外径より大きく且つ傘部の外径またはナットの外径より小さな内径となる第２挿通孔とを備え、前記レンズを智に対して固定する場合に、前記ネジの軸部の外周面と前記第２挿通孔の内周面との隙間により前記レンズの固定位置を調整可能にした。
【００１０】
この請求項２記載のメガネフレームによれば、智には、ネジの軸部の外径より大きな内径となる第２挿通孔が形成されており、その第２挿通孔によりレンズの固定位置が調整される。また、智には、ネジの傘部の外形またはナットの外形より大きい凹状の第２溝が形成されているので、ネジとナットとによりレンズと智とを固定する場合に、ネジの傘部またはナットが智の第２溝内に収納される。
【００１１】
請求項３記載のメガネフレームは、請求項１又は２に記載のメガネフレームにおいて、前記溝は、前記ネジの挿通方向視において略円形に形成されると共に、前記挿通孔は、前記溝の略中心位置に形成されている。
【００１２】
請求項４記載のメガネフレームは、請求項３記載のメガネフレームにおいて、前記ネジの軸部は、そのネジが前記挿通孔に挿通された状態において、その挿通孔に対応する位置が他の軸部の外径より小さな外径に形成された小径軸部を備え、前記ネジの傘部の外径またはナットの外径と前記溝の内径との差は、前記ネジの小径軸部の外径と前記挿通孔の内径との差に対して、略同等以下になるよう形成されている。
【００１３】
請求項５記載のメガネフレームは、請求項１から４のいずれかに記載のメガネフレームにおいて、前記溝内に収納されると共にその溝の開放面を覆う覆設部材を備え、前記ネジの挿通方向における前記溝深さは、前記覆設部材と前記ネジの傘部またはナットとの合計の厚み以上に形成されている。
【００１４】
請求項６記載のメガネフレームは、請求項１から５のいずれかに記載のメガネフレームにおいて、前記ナットは、ネジ溝が螺刻された内壁から外壁に亘って連通すると共に内周面にネジ溝が螺刻されたネジ連通孔が形成されており、そのネジ連通孔に螺挿され、前記ネジにナットが螺着された状態を保持可能な螺挿部材を備えている。
【００１５】
なお、ナットは、ネジの挿通方向視において、ネジの傘部の外径より大きく且つブリッジの外径より小さな外径となるよう形成しても良い。この構成とすれば、ナットが大きく形成され螺挿部材の全長を長くできるので、螺挿部材が緩むことを低減できる。その結果、ナットの緩みもさらに低減することができる。さらに、請求項１から５のいずれかに記載のメガネフレームにおいて、ナットを、ネジの挿通方向視において、ネジの傘部の外径より大きく且つブリッジの外径より小さな外径となるよう形成しても良い。螺挿部材を備えない構成であっても、ナット自体が大きくなると、締め付け力が高くなるので、ナットの緩みを低減することができる。
【００１６】
請求項７記載のメガネフレームは、請求項６記載のメガネフレームにおいて、前記螺挿部材は、その先端が尖形に形成されている。
【００１７】
請求項８記載のメガネフレームは、請求項１から７のいずれかに記載のメガネフレームにおいて、前記ブリッジ又は智に対するレンズの固定は、前記溝側から前記ネジの軸部を挿通すると共に、前記レンズ側からナットを螺着して行われるものである。
【００１８】
請求項９記載のメガネフレームは、請求項１から７のいずれかに記載のメガネフレームにおいて、前記ブリッジ又は智に対するレンズの固定は、前記レンズ側から前記ネジの軸部を挿通すると共に、前記溝側からナットを螺着して行われるものである。
【００１９】
なお、請求項３，４，５，８，９に記載の溝は、請求項１記載の溝と請求項２記載の第２溝との両溝を意味するものであり、請求項３，４，５，８，９に記載の挿通孔は、請求項１記載の挿通孔と請求項２記載の第２挿通孔の両挿通孔を意味する。
【００２０】
また、一対のレンズと、請求項１から９のいずれかに記載のメガネフレームとを備えて構成される眼鏡としても良い。この眼鏡は、請求項１から９のいずれかに記載のメガネフレームを備えるので、請求項１から９の作用と同様の作用を有する。
【発明の効果】
【００２１】
請求項１記載のメガネフレームによれば、ブリッジに挿通孔を備えることで、レンズの固定位置が調整可能であるので、レンズの連結孔がずれて穿設された場合であっても、そのレンズの固定位置を使用者に合わせて調整することができる。よって、レンズの廃棄処分を少なくすることができ、歩留まりを向上することができるという効果がある。
【００２２】
また、レンズの固定位置を調整できるので、レンズの連結孔を熟練した作業者が穿設しなくても眼鏡を製作することができる。よって、レンズに連結孔を自動で穿設する加工装置を用いて連結孔を穿設することができ、眼鏡の製作時間を短縮することができるという効果がある。
【００２３】
請求項２記載のメガネフレームによれば、智に第２挿通孔を備えることで、レンズの固定位置が調整可能であるので、レンズの連結孔がずれて穿設された場合であっても、そのレンズの固定位置を使用者に合わせて調整することができる。よって、レンズの廃棄処分を少なくすることができ、歩留まりを向上することができるという効果がある。
【００２４】
また、レンズの固定位置を調整できるので、レンズの連結孔を熟練した作業者が穿設しなくても眼鏡を製作することができる。よって、レンズに連結孔を自動で穿設する加工装置を用いて連結孔を穿設することができ、眼鏡の製作時間を短縮することができるという効果がある。
【００２５】
請求項３記載のメガネフレームによれば、請求項１又は２に記載のメガネフレームの奏する効果に加え、略円形に形成された溝の略中心位置に挿通孔が形成されているので、ネジの傘部またはナットの大きさに応じて溝を必要最小限の大きさに形成できる。その結果、ブリッジ及び智の大きさが大規模化することを低減できる。使用者が眼鏡を掛けると、ブリッジ及び智は使用者の前面に位置するので、ブリッジ及び智が極端に大きいと外観が悪くなってしまう。しかし、本発明によれば、ブリッジ及び智が大規模化することを低減できるので、ブリッジ及び智に挿通孔および溝を形成したとしても、美観を損なうことを低減することができるという効果がある。
【００２６】
請求項４記載のメガネフレームによれば、請求項３記載のメガネフレームの奏する効果に加え、ネジの傘部の外径またはナットの外径と溝の内径との差が、ネジの小径軸部の外径と挿通孔の内径との差に対して、略同等以下になるよう形成されているので、レンズの固定位置を調整する際に、溝の側壁により調整範囲が規制される。ブリッジ及び智は、美観を良くするために極力小さく（薄く）形成されるので、溝の底壁の肉厚が薄くなることがある。この構成では、レンズの固定位置を調整する場合にレンズを勢いよく移動させると、挿通孔の内周面にネジの小径軸部の外周面が勢いよく当接するので、挿通孔の内周面に強い力がかかりブリッジ及び智が破損してしまう場合もある。しかし、本発明によれば、溝により調整範囲が規制されるので、挿通孔の内周面にネジの小径軸部が勢いよく当接することがなく、ブリッジ及び智が破損してしまうことを低減することができるという効果がある。さらに、ネジの傘部の外径またはナットの外径と溝の内径との差と、ネジの小径軸部の外径と挿通孔の内径との差とが略同等に形成されていれば、溝の側壁と挿通孔の内周面との両方で調整範囲を規制することができ、ブリッジ及び智の破損をさらに低減することができるという効果がある。
【００２７】
また、ネジの傘部またはナットが溝の側壁と当接する位置まで移動した場合、ネジの傘部の外径またはナットの外径と溝の内径との差がネジの軸部の外径と挿通孔の内径との差とが略同等に形成されていると、傘部の一部またはナットの一部が挿通構内に落ちて傾いてしまうことがある。しかし、本発明によれば、ネジの挿通孔に対応する位置に小径軸部が形成されているので、ネジの傘部の外径またはナットの外径と溝の内径との差がネジの軸部の外径と挿通孔の内径との差とが略同等に形成されていたとしても、溝の底壁に傘部またはナットの一部が必ず当接する。よって、ネジの傘部の一部またはナットの一部が挿通孔内に落ちてしまったり、傾いたりすることを防止できるので、レンズを確実に固定することができるという効果がある。
【００２８】
請求項５記載のメガネフレームによれば、請求項１から４のいずれかに記載のメガネフレームの奏する効果に加え、ブリッジ又は智の溝の開放面が覆設部材により覆設されるので、ネジの傘部またはナットが外部から視認されることがない。よって、メガネフレームの美観を損なうことを低減することができるという効果がある。
【００２９】
また、覆設部材が溝内に収納されると共に、溝深さが覆設部材とネジの傘部またはナットとの合計の厚み以上に形成されているので、覆設部材が溝内に確実に収納される。覆設部材の一部が外部に露出していると、その露出した部分が外部と干渉し易くなるので、覆設部材が外れて紛失してしまう場合がある。しかし、溝内に覆設部材が確実に収納されるので、覆設部材が外れて紛失してしまうことを低減することができるという効果がある。
【００３０】
また、眼鏡の販売店によりレンズの固定位置が調整されているので、使用者によりそのレンズの固定位置が変更されることは好ましくない。しかし、覆設部材により溝の開放面を覆設することにより、ネジの傘部またはナットが視認不可となるので、使用者によってレンズの固定位置が変更されることを低減することができるという効果がある。
【００３１】
請求項６記載のメガネフレームによれば、請求項１から５のいずれかに記載のメガネフレームの奏する効果に加え、ナットにネジ連通孔が形成されており、そのネジ挿通孔に螺挿部材が螺挿されて、ナットが螺着された状態を保持できるので、ナットの緩みを防止することができる。ネジとナットによりレンズを挟持するメガネフレームでは、ナットが緩んでレンズの固定位置がずれてしまうことは好ましくないが、螺挿部材を備えることによりレンズの固定位置がずれることを確実に低減することができるという効果がある。
【００３２】
請求項７記載のメガネフレームによれば、請求項６記載のメガネフレームの奏する効果に加え、螺挿部材の先端が尖形に形成されているので、ネジ連通孔に螺挿部材を螺挿した場合に、その尖形の先端がネジの軸部に差し込まれる。よって、ナットの緩みをさらに低減することができるという効果がある。
【００３３】
請求項８記載のメガネフレームによれば、請求項１から７のいずれかに記載のメガネフレームの奏する効果に加え、溝側からネジの軸部を挿通し、レンズ側からナットを螺着して、ブリッジ又は智にレンズが固定される。一般的に、メガネフレームは、レンズの前面側にブリッジ及び智を設けたものが多いと共に、メガネフレームの前面側からネジを挿通して裏側にナットを螺着してレンズの固定を行うものが多い。本発明によれば、溝（ブリッジ及び智）側からネジを挿通するので、一般的なメガネフレームの形状に応じたメガネフレームを提供することができるという効果がある。
【００３４】
請求項９記載のメガネフレームによれば、請求項１から７のいずれかに記載のメガネフレームの奏する効果に加え、レンズ側からネジの軸部を挿通し、溝側からナットを螺着して、ブリッジ又は智にレンズが固定される。よって、レンズの裏側にブリッジ又は智が配設されるメガネフレームも提供することができるという効果がある。
【００３５】
また、ブリッジに溝および挿通孔を備えると共に、智に第２溝および第２挿通孔を備えると、レンズの固定位置をブリッジと智とで調整できるので、使用者に合ったメガネをより正確に提供することができるという効果がある。
【００３６】
なお、智の第２溝および第２挿通孔が、ブリッジの溝および挿通孔と同一形状に形成されている場合には、ネジおよびナットを共通部品化でき、製作コストを低減することができるという効果がある。
【００３７】
また、一対のレンズと、請求項１から９のいずれかに記載のメガネフレームとを備えて構成される眼鏡とした場合、請求項１から９のいずれかに記載のメガネフレームを備えるので、請求項１から９のいずれかに記載のメガネフレームの奏する効果と同様の効果を奏する。
【発明を実施するための最良の形態】
【００３８】
以下、本発明の好ましい実施例について、添付図面を参照して説明する。図１は、本発明の第１実施例におけるメガネフレーム１の外観を示した斜視図である。
【００３９】
メガネフレーム１は、一対のレンズ２，２の間を連結するブリッジ３と、そのブリッジ３が連結されたレンズ２の他方側にそれぞれ固定されるよろい智４，４と、そのよろい智４，４に回動可能に連結されるテンプル５，５とを主に備えている。眼鏡は、レンズ２，２とブリッジ３とが固定されると共に、レンズ２，２とよろい智４，４とが固定されることで製品化される。
【００４０】
ブリッジ３は、その両側（レンズ２，２の近傍）に脚部材６，６が連接されており、その脚部材６，６の先端に使用者の鼻と当接するノーズパット７，７が揺動部材８，８を介して取り付けらている。この揺動部材８，８によりノーズマット７，７の向きが使用者の鼻形状に応じて揺動される。
【００４１】
レンズ２，２とブリッジ３との連結は、ネジ１１（図２参照）およびナット１２（図２参照）により、レンズ２，２とブリッジ３とが挟持されて行われる。また、レンズ２，２とよろい智４，４との連結も、同様にネジ１１およびナット１２により、レンズ２，２とよろい智４，４とがそれぞれ挟持されて行われる。レンズ２，２とブリッジ３との連結部分の構成について、図２及び図３を参照して説明する。
【００４２】
図２は、レンズ２とブリッジ３との連結部分を拡大して示した分解斜視図である。なお、図２は、図１の矢印Ａで示した紙面視左側のブリッジ３の一部分を図示している。
【００４３】
図２に示すように、レンズ２には、ネジ１１が挿通される連結孔２ａがレンズ２の内縁部近傍に穿設されている。本第１実施例では、連結孔２ａの内径（直径）が略１．４ミリメートル（以下「ｍｍ」と略す）に構成されている。
【００４４】
ネジ１１は、レンズ２の連結孔２ａに挿通される軸部１１ａと、その軸部１１ａに連接されると共に連結孔２ａの内径より大きな外径となる傘部１１ｂとで構成されている。軸部１１ａの傘部１１ｂとの連結部分には、他の軸部１１ａの外径より小径に形成された小径軸部１１ａ１が形成されている。この小径軸部１１ａ１は、後述する挿通孔３ａの深さに対応して形成されている。具体的には、挿通孔３ａの深さより若干広い範囲になるよう形成され、ネジ１１が挿通孔３ａに挿通された状態で、軸部１１ａの小径軸部１１ａ１以外が挿通孔３ａ内に侵入しないようにしている（図３参照）。また、軸部１１ａに螺着されるナット１２は、六角形の六角ナットで構成されている。
【００４５】
本第１実施例では、軸部１１ａの外径がレンズ２の連結孔２ａの内径と略同等になるよう略１．４ｍｍに構成されると共に、小径軸部１１ａ１の外径が略１．２ｍｍに構成されている。また、傘部１１ｂの外径は、略２．６ｍｍに構成され、傘部１１ｂの厚み及びナット１２の厚みは、それぞれ略０．５ｍｍに構成されている。なお、連結孔２ａの内径と軸部１１ａの外径とを略同等（略１．４ｍｍ）に構成したが、軸部１１ａの外径の方が連結孔２ａの内径より若干小さく構成され、軸部１１ａの連結孔２ａへの挿通がスムーズに行われる。
【００４６】
ブリッジ３は、ネジ１１の軸部１１ａが挿通される挿通孔３ａと、ネジ１１が挿通孔３ａに挿通された状態でネジ１１の傘部１１ｂを収納可能な凹状の溝３ｂとを備えている。
【００４７】
挿通孔３ａは、ネジ１１の軸部１１ａ（又はレンズ２の連結孔２ａ）の外径より大きく且つネジ１１の傘部１１ｂの外径より小さくなる内径に形成されている。本第１実施例では、挿通孔３ａの内径が略１．８ｍｍに構成されている。
【００４８】
溝３ｂは、ネジ１１の挿通方向（図２の矢印Ｂ方向）視において、略円形に形成されており、レンズ２とネジ１１の傘部１１ｂとの間に挟持される底壁３ｂ１と、その底壁３ｂ１から反矢印Ｂ方向に立設された側壁３ｂ２とを有している。なお、本第１実施例では、溝３ｂの内径が略３．２ｍｍに構成され、深さが略０．９ｍｍに構成されている。また、底壁３ｂ１と側壁３ｂ２の厚みＴは、それぞれ略０．４ｍｍに構成されている。
【００４９】
ネジ１１の挿通方向視において、溝３ａの略中心位置に挿通孔３ａ形成されると共に、溝３ｂが略円形に形成されているので、矩形形状の溝に比べて必要最小限の大きさに溝３ｂを形成できる。その結果、ブリッジ３の大きさを極力小さくできるので、挿通孔３ａおよび溝３ｂをブリッジ３に備えてたとしても、メガネフレーム１の美観を損なうことを防止できる。
【００５０】
蓋１３は、溝３ｂの開放面を覆うものであり、溝３ｂにネジ１１の傘部１１ｂが収納された状態で、その上方から覆設されてネジ１１を外部から視認不可にする。よって、ネジ１１がメガネフレーム１の前方から視認されないので、メガネフレーム１の美観を損なうことを防止できる。また、ネジ１１が露出されないので、使用者がネジ１１を緩めてレンズ２，２，の固定位置が簡単に変更されることを低減することができる。なお、本第１実施例では、蓋１３の外径は、溝３ｂの内径と同等となるよう略３．２ｍｍに構成されると共に、その厚みは底壁３ｂ１，側壁３ｂ２と同等に略０．４ｍｍに構成されている。
【００５１】
次に、図３を参照して、ブリッジ３に対してレンズ２が固定された状態について説明する。図３は、ネジ１１とナット１２とによりブリッジ３とレンズ２とを挟持して、ブリッジ３に対してレンズ２を固定した状態を示した断面図である。なお、図３は、ネジ１１及びナット１２の雄ネジ及び雌ネジを省略して図示している。
【００５２】
ブリッジ３に対するレンズ２の固定は、ネジ１１の軸部１１ａをブリッジ３側（図２の矢印Ｂ方向）から挿通孔３ａと連結孔２ａとに挿通し、レンズ２側からナット１２を螺着して行われる。なお、ナット１２とレンズ２との間に、ナット１２の緩みを防止するワッシャを備えない構成としたが、金属製、樹脂製、ゴム製、シリコン製などのワッシャやパッキンなどを備える構成としても良い。
【００５３】
上述したように、ネジ１１の軸部１１ａの外径とレンズ２の連結孔２ａの内径とが略同等に形成されているのに対して、ネジ１１の小径軸部１１ａ１の外径よりブリッジ３の挿通孔３ａの内径の方が大きく形成されているので、小径軸部１１ａ１の外周面と挿通孔２ａの内周面との間に隙間Ｘが形成され、レンズ２の固定位置を調整することができる。即ち、本第１実施例では、小径軸部１１ａ１の外径が略１．２ｍｍであると共に、挿通孔３ａの内径が略１．８ｍｍであるので、略０．６ｍｍの隙間Ｘが形成される。
【００５４】
また、レンズ２の固定位置の調整は、溝３ｂの側壁３ｂ２にネジ１１の傘部１１ｂの外周面が当接することにより規制される。即ち、溝３ｂの内径と傘部１１ｂの外径との隙間Ｙ分のみレンズ２の位置調整が可能となる。その位置調整の調整範囲は、溝３ｂの内径が略３．２ｍｍであると共に、傘部１１ｂの外径が略２．６ｍｍであるので、略０．６ｍｍの差があり、最大調整範囲は挿通孔３ａの中心から円周方向に向かって略０．３ｍｍである。
【００５５】
上述したように、隙間Ｘと隙間Ｙとが同等となるが、小径軸部１１ａ１が形成されているために、レンズ２の固定位置が調整されて傘部１１ｂの外周面が溝３ｂの側壁３ｂ２に当接した場合であっても、傘部１１ｂの底面と溝３ｂの底壁３ｂ１とが必ず当接する。従って、ネジ１１が締め付けられる場合に、傘部１１ｂが傾いたり不安定となることがないので、レンズ１の固定を確実に行える。また、隙間Ｘと隙間Ｙとが同等に形成されているので、側壁３ｂ２と挿通孔３ａの内周面との両方で調整範囲が規制される。よって、底壁３ｂ１を薄く形成したとしても、ブリッジ３及び智４，４が破損することを低減することができる。従って、ブリッジ３及び智４，４を小さく形成することができるので、眼鏡フーレム１の美観を良くすることができる。
【００５６】
また、蓋１３の厚みが略０．４ｍｍであると共にネジ１１の傘部１１ｂの厚みが略０．５ｍｍであり、溝３ｂの深さが略０．９ｍｍであるので、蓋１３を溝３ｂ内に収納することができる。よって、蓋１３の一部が露出して、その露出した一部が外部と干渉することを防止できるので、蓋１３が簡単に外れてしまい紛失することを防止できる。また、蓋１３および傘部１１ｂの合計厚みと、溝３ｂの深さとが略同等であるので、ブリッジ３の厚みが厚くなることを防止でき、メガネフレーム１の美観が損なわれることを防止できる。
【００５７】
さらに、蓋１３をネジ１１の傘部１１ｂに対して押圧した状態で固定すれば、ネジ１１の傘部１１ｂが溝３ｂの底壁３ｂ１に押圧されるので、ネジ１１が緩むことを低減することができる。また、蓋１３を備えることにより、ナット１２が緩んだとしても、少なくともネジ１１の紛失を低減することができる。
【００５８】
なお、ブリッジ３とレンズ２との連結について説明したが、よろい智４，４にも連通孔３ａおよび溝３ｂと同形状の連通孔（図示せず）および溝（図示せず）が形成されている。その連結方法は、ブリッジ３とレンズ２との連結方法と同じであるので、その説明は省略する。また、ブリッジ３とよろい智４，４の連通孔および溝が同一形状に形成されているので、ネジ１１とナット１２との組合わせを用いることができる。よって、ネジ１１とナット１２とを共通部品化でき、製作コストの低減を図ることができる。
【００５９】
以上、説明したように、メガネフレーム１は、ブリッジ３およびよろい智４，４に対するレンズ２，２の固定は、連通孔３ａ（よろい智４，４の連通孔は図示せず）と溝３ｂ（よろい智４，４の溝は図示せず）とを備えることにより、所定範囲（連通孔３ａの中心から円周方向に略０．３ｍｍの範囲）内で調整することができる。よって、レンズ２，２の連結孔２ａ，２ａがずれて穿設された場合であっても、所定範囲内でレンズ２，２の固定位置を使用者に合わせて調整することができる。従って、レンズ２，２の廃棄処分を少なくすることができ、歩留まりを向上することができる。
【００６０】
また、ブリッジ３およびよろい智４，４に溝３ｂ（よろい智４，４の溝は図示せず）および挿通孔３ａ（よろい智４，４の連通孔は図示せず）を備えることで、レンズ２，２の固定位置を調整できるので、レンズ２，２の連結孔２ａ，２ａを熟練した作業者が穿設しなくても眼鏡を製作することができる。よって、レンズ２，２に連結孔２ａ，２ａを自動穿設する加工装置（図示せず）を用いて連結孔２ａ，２ａを穿設することができるので、眼鏡の製作時間を短縮することができる。
【００６１】
また、レンズ２，２の連結孔２ａ，２ａは、作業者によって穿設されるので、極端にずれることがなく、反対に極端にずれた場合は製品化することができない。例えば、第１実施例の連結孔２ａの製品化可能な最大ずれ量が０．３ｍｍであれば、その最大ずれ量とレンズ２の調整範囲とが同じになる。この構成では、０．３ｍｍ以上のずれがあると、メガネフレーム１であっても、使用者に合った眼鏡にすることができないので、製品化することができない。よって、不良品を製品化してしまうことを防止できる。
【００６２】
次に、図４及び図５を参照して、第２実施例のメガネフレーム１０１について説明する。図４は、本発明の第２実施例のメガネフレーム１０１の外観を示した斜視図である。図５は、本発明の第２実施例のレンズ１０２とブリッジ１０３との連結部分を拡大して示した断面図である。なお、図５は、図４の矢印Ｃで示した紙面視左側のブリッジ１０３の一部分を図示している。また、図５は、ネジ１１１及びナット１１２の雄ネジ及び雌ネジを省略して図示している。
【００６３】
なお、第１実施例のメガネフレーム１がブリッジ３とレンズ２，２との連結およびよろい智４，４とレンズ２，２との連結をネジ１１にナット１２を螺着して行うものとしたが（所謂ツーポイント式のメガネフレーム）、これに対して、第２実施例のメガネフレーム１０１は、ブリッジ１０３とレンズ１０２，１０２との連結のみをネジ１１１にナット１１２を螺着して行うよう構成した（所謂ワンポイント式のメガネフレーム）。
【００６４】
また、第１実施例のメガネフレーム１が、レンズ２，２の前面（図１紙面視正面）側にブリッジ３が配設され、そのブリッジ３側からネジ１１を挿通しレンズ２の裏側（図１紙面視奧側）からナット１２を螺着するよう構成したが、これに対して、第２実施例のメガネフレーム１０１は、レンズ１０２，１０２の裏側（図４紙面視奧側）にブリッジ１０３が配設されるよう構成した。
【００６５】
図４に示すように、第２実施例のメガネフレーム１０１は、一対のレンズ１０２，１０２の間を連結するブリッジ１０３と、そのブリッジ１０３に連接されると共にレンズ１０２，１０２の上部（図４上側）を支えるリム１０９，１０９と、そのリム１０９，１０９に連接されるよろい智１０４，１０４と、そのよろい智１０４，１０４に回動可能に連結されるテンプル１０５，１０５とを主に備えている。
【００６６】
なお、ブリッジ１０３のレンズ１０２，１０２との連結部分は、レンズ２の裏側（図４紙面視奥側）に配設されており、レンズ１０２，１０２側（図４紙面視正面側）からネジ１１１が挿通され、裏側からナット１１２が螺着される。なお、第２実施例のネジ１１２の小径軸部１１ａ１は、挿通孔１０３ａに対応する位置に形成するために、軸部１１１ａの先端部近傍に形成されている。
【００６７】
次に、図５の断面図を用いてレンズ１０２，１０２とブリッジ１０３との連結部分について説明する。
【００６８】
図５に示すように、レンズ１０２，１０２の裏側にブリッジ１０３の連結部分が配設されているので、ブリッジ１０３の溝１０３ｂにナット１１２が収納される。また、第１実施例と同様に、ナット１１２の厚みが略０．５ｍｍに形成されると共に、溝１０３ｂの深さが略０．９ｍｍに形成されている。さらに蓋１１３の厚みが、略０．４ｍｍに形成されているので、第１実施例の奏する効果と同様に、メガネフレーム１０１の美観を損なうことを防止できると共に、ナット１１２が緩むことを低減することができる。なお、蓋１１３を備えることにより、ナット１１２が緩んだとしても、少なくともナット１１２の紛失を低減することができる。
【００６９】
以上、説明したように、第２実施例のメガネフレーム１０１は、ブリッジ１０３に形成された挿通孔１０３ａと溝１０３ｂとにより、レンズ１０２の固定位置を調整することができる。よって、第１実施例と同様に、レンズ１０２の歩留まりを向上することができると共に、眼鏡の製作時間を短縮することができる。
【００７０】
次に、図６及び図７を参照して、第３実施例のメガネフレーム１について説明する。図６は、本発明の第３実施例のレンズ２とブリッジ３との連結部分を拡大して示した分解斜視図である。図７は、本発明の第３実施例のレンズ２とブリッジ３との連結部分を拡大して示した断面図である。なお、図５は、ネジ１１及びナット２１２、ネジ連通孔２１２ａ及び螺挿ネジ２１３の雄ネジ及び雌ネジを省略して図示している。
【００７１】
ここで、第３実施例のメガネフレーム１は、第１実施例のメガネフレーム１に対して、ナット２１２の構成のみが異なる。よって、第１実施例と同一の部分には同一の符号を付して、その説明は省略する。
【００７２】
第３実施例のナット２１２は、ネジ溝が螺刻された内壁から外壁に亘ってネジ連通孔２１２ａが形成されている。このネジ連通孔２１２ａの内周面にはネジ溝が螺刻されている。そのネジ連通孔２１２ａには、先端が尖形に形成された螺挿ネジ２１３が螺挿されるよう構成されている。
【００７３】
本第３実施例では、ナット２１２の厚みが、ネジ連通孔２１２ａを形成するために略１．０ｍｍに構成され、ナット２１２の外径が、ネジ１１の傘部１１ｂの外径より大きく且つブリッジ３の外径より小さくなるよう略３．２ｍｍに構成されている。ナット２１２の外径を大きくすることにより、締め付け力が強くなりナットの緩みを低減することができる。
【００７４】
図７に示すように、ネジ１１の軸部１１ａにナット２１２が螺着された状態で、ネジ連通孔２１２ａに螺挿ネジ２１３が螺挿されると、尖形に形成された螺挿ネジ２１３の先端がネジ１１に差し込まれる。
【００７５】
よって、第３実施例のメガネフレーム１では、ネジ１１にナット２１２が螺着され、螺挿ネジ２１２がネジ連通孔２１２ａに螺挿されると、ナット２１２が緩むことを確実に低減することができる。
【００７６】
以上、実施例に基づいて本発明を説明したが、本発明は、上記実施例に何ら限定されるものではなく、本発明の趣旨を逸脱しない範囲内で種々の改良変形が可能であることは容易に推察できるものである。
【００７７】
例えば、上記各実施例では、蓋１３，１１３の外径は、溝３ｂ，１０３ｂの内径と同等に形成されるものとしたが、溝３ｂ，１０３ｂの内径より若干大きな外径となるよう構成しても良い。この構成とすれば、蓋１３，１１３が溝３ｂ，１０３ｂの開放面に覆設された状態で、簡単に蓋１３，１１３が外れることを低減できる。また、蓋１３，１１３に切欠または貫通孔を形成して、その切欠または貫通孔に棒部材を挿入して蓋１３，１１３を取り外す構成としても良い。この構成にすれば、蓋１３，１１３の外径を溝３ｂ，１０３ｂの内径より大きく形成しても、容易に蓋１３，１１３を取り外すことができる。
【００７８】
また、上記第２実施例では、第１実施例のツーポイント式のメガネフレーム１に対して、ブリッジ１０３とレンズ１０２，１０２との連結をネジ１１１とナット１１２とで行うワンポイント式のメガネフレーム１０１としたが、よろい智１０４，１０４とレンズ１０２，１０２との連結のみをネジとナットで行うワンポイント式のメガネフレームとしても良い。
【００７９】
また、上記第３実施例では、ナット２１２の外径を大きく形成するものとしたが、第１実施例のナット１２を大きく形成して緩みを低減するものとしても良いし、第２実施例のネジ１１１の傘部１１１ｂを大きく形成して緩みを低減するものとしても良い。
【００８０】
また、上記各実施例では、ネジが眼鏡の正面側に配置するようネジとナットを螺着するものとしたが、ナットが眼鏡の正面側に配置されるようネジとナットとを螺着するよう構成しても良い。
【００８１】
また、上記各実施例では、ネジ１１，１１１に小径軸部１１ａ１，１１１ａ１を形成するものとしたが、小径軸部を形成しないネジを用いるものとしても良い。この構成では、ネジの傘部の外径またはナットの外径と溝の内径との差が、挿通孔の内径と軸部の外径との差より小さくなるようにして、ネジの傘部またはナットが挿通孔内に落ちることを防止する。
【図面の簡単な説明】
【００８２】
【図１】本発明の第１実施例におけるメガネフレームの外観を示した斜視図である。
【図２】レンズとブリッジとの連結部分を拡大して示した分解斜視図である。
【図３】ネジとナットとによりブリッジとレンズとを挟持して、ブリッジに対してレンズを固定した状態を示した断面図である。
【図４】本発明の第２実施例のメガネフレームの外観を示した斜視図である。
【図５】本発明の第２実施例のレンズとブリッジとの連結部分を拡大して示した断面図である。
【図６】本発明の第３実施例のレンズとブリッジとの連結部分を拡大して示した分解斜視図である。
【図７】本発明の第３実施例のレンズとブリッジとの連結部分を拡大して示した断面図である。
【符号の説明】
【００８３】
１，１０１              メガネフレーム
２，１０２              レンズ
２ａ，１０２ａ          連結孔
３，１０３              ブリッジ
３ａ，１０３ａ          挿通孔
３ｂ，１０３ｂ          溝
３ｂ１，１０３ｂ１      底壁（覆設部材から溝の対向する面）
３ｂ２，１０３ｂ２      側壁
４，１０４              よろい智（智）
５，１０５              テンプル
１１，１１１            ネジ
１１ａ，１１１ａ        軸部
１１ｂ，１１１ｂ        傘部
１２，１１２，２１２    ナット
１３，１１３            蓋（覆設部材）
２１２ａ                ネジ連通孔
２１３                  螺挿ネジ（螺挿部材）
Ｂ                      ネジの挿通方向
【図１】
2006343446.tif 000003
【図２】
2006343446.tif 000004
【図３】
2006343446.tif 000005
【図４】
2006343446.tif 000006
【図５】
2006343446.tif 000007
【図６】
2006343446.tif 000008
【図７】
2006343446.tif 000009